(57)【要約】【課題】視聴中・聴取中の放送内容の見逃しや聞き逃しを防止する電子機器を実現する。【解決手段】ＣＰＵ１００は、イヤホン２０の接続／非接続状態と、イヤホン２０が出力する信号から判別したユーザ装着／非装着状態とに基づき、放送受信中にイヤホン２０が非接続状態もしくはユーザ非装着状態になったことを検出すると、受信中の放送内容を自動的に記録し始める自動記録状態となり、その後にイヤホン２０が接続され、かつユーザ装着状態に復帰すると、自動記録中の放送をタイムシフト再生（追いかけ再生）を行うので、視聴中・聴取中の放送内容の聞き逃しを防止し得る。【選択図】図１１
2013034218.tif 000002
【特許請求の範囲】
【請求項１】
音声データおよび映像データを含む放送内容を取得する取得手段と、
放送内容を外部出力する外部出力装置に対して、前記取得手段により取得された放送内容を送出する送出手段と、
前記外部出力装置の出力動作の可否状態を検出する検出手段と、
前記取得手段が放送内容を取得中に、前記検出手段により検出される外部出力装置の出力動作の可否状態が動作可能から動作不能に変化した場合に、前記送出手段に外部出力装置への放送内容の送出を停止させる送出停止手段と、
前記送出停止手段が前記送出手段に外部出力装置への放送内容の送出を停止させた場合に、前記取得手段により取得された放送内容の内、音声データのみを機器本体から出力させる出力手段と
を具備することを特徴とする電子機器。
【請求項２】
前記検出手段は、外部出力装置の出力動作の可否状態として、当該外部出力装置がユーザに装着されているか否かを検出することを特徴とする請求項１記載の電子機器。
【請求項３】
前記検出手段は、外部出力装置の出力動作の可否状態として、当該外部出力装置が動作しているか否かを検出することを特徴とする請求項１記載の電子機器。
【請求項４】
コンピュータに、
音声データおよび映像データを含む放送内容を取得する取得ステップと、放送内容を外部出力する外部出力装置に対して、前記取得ステップで取得された放送内容を送出する送出ステップと、
前記外部出力装置の出力動作の可否状態を検出する検出ステップと、
前記取得ステップにて放送内容を取得中に、前記検出ステップで検出される外部出力装置の出力動作の可否状態が動作可能から動作不能に変化した場合に、前記送出ステップによる外部出力装置への放送内容の送出を停止させる送出停止ステップと、
前記送出停止ステップが前記送出ステップによる外部出力装置への放送内容の送出を停止させた場合に、前記取得ステップで取得された放送内容の内、音声データのみを機器本体から出力させる出力ステップと
を実行させることを特徴とする電子機器の処理プログラム。
【発明の詳細な説明】
【技術分野】
【０００１】
本発明は、視聴中あるいは聴取中の放送内容の見逃しや聞き逃しを防止する電子機器および電子機器の処理プログラムに関する。
【背景技術】
【０００２】
近年、テレビ・ラジオ放送を受信する機能を具備する携帯電話などの電子機器が各種実用化されている。例えば、この種の携帯電話として、特許文献１には、携帯電話本体とイヤホンとを無線通信にて接続するワイヤレスホンを備えたものが開示されている。
【先行技術文献】
【特許文献】
【０００３】
【特許文献１】特開平０９−１８７０６０号公報
【発明の概要】
【発明が解決しようとする課題】
【０００４】
ところで、特許文献１に開示の携帯電話のように、ワイヤレスイヤホンを使って携帯電話でテレビ放送を視聴したりラジオ放送を聴取したりする場合に、イヤホンをしたまま携帯電話本体から通信可能距離以上離れると、本体側との無線通信が途絶えてしまい、その間、ユーザは視聴あるいは聴取している放送内容を見逃したり聞き逃したりする弊害が生じる。こうした弊害はワイヤレスイヤホンに限らず、通信ケーブルで携帯電話本体と接続される有線のイヤホンでも同様のことが起こり得る。また、携帯電話に限らず、例えば据え置き型テレビの場合でも同様のことが有り得る。
【０００５】
本発明は、このような事情に鑑みてなされたもので、視聴中あるいは聴取中の放送内容の見逃しや聞き逃しを防止することができる電子機器および電子機器の処理プログラムを提供することを目的としている。
【課題を解決するための手段】
【０００６】
上記目的を達成するため、請求項１に記載の発明では、音声データおよび映像データを含む放送内容を取得する取得手段と、放送内容を外部出力する外部出力装置に対して、前記取得手段により取得された放送内容を送出する送出手段と、前記外部出力装置の出力動作の可否状態を検出する検出手段と、前記取得手段が放送内容を取得中に、前記検出手段により検出される外部出力装置の出力動作の可否状態が動作可能から動作不能に変化した場合に、前記送出手段に外部出力装置への放送内容の送出を停止させる送出停止手段と、前記送出停止手段が前記送出手段に外部出力装置への放送内容の送出を停止させた場合に、前記取得手段により取得された放送内容の内、音声データのみを機器本体から出力させる出力手段とを具備することを特徴とする。
【０００７】
上記請求項１に従属する請求項２に記載の発明では、前記検出手段は、外部出力装置の出力動作の可否状態として、当該外部出力装置がユーザに装着されているか否かを検出することを特徴とする。
【０００８】
上記請求項１に従属する請求項３に記載の発明では、前記検出手段は、外部出力装置の出力動作の可否状態として、当該外部出力装置が動作しているか否かを検出することを特徴とする。
【０００９】
請求項４に記載の発明では、コンピュータに、音声データおよび映像データを含む放送内容を取得する取得ステップと、放送内容を外部出力する外部出力装置に対して、前記取得ステップで取得された放送内容を送出する送出ステップと、前記外部出力装置の出力動作の可否状態を検出する検出ステップと、前記取得ステップにて放送内容を取得中に、前記検出ステップで検出される外部出力装置の出力動作の可否状態が動作可能から動作不能に変化した場合に、前記送出ステップによる外部出力装置への放送内容の送出を停止させる送出停止ステップと、前記送出停止ステップが前記送出ステップによる外部出力装置への放送内容の送出を停止させた場合に、前記取得ステップで取得された放送内容の内、音声データのみを機器本体から出力させる出力ステップとを実行させることを特徴とする。
【発明の効果】
【００１０】
本発明によれば、視聴あるいは聴取している放送内容の見逃しや聞き逃しを防止することができる。
【図面の簡単な説明】
【００１１】
【図１】本発明の第１実施形態による携帯電話１０が有する機能の概要を説明する為のシステム構成図である。
【図２】携帯電話１０の構成を示すブロック図である。
【図３】メインルーチンの動作を示すフローチャートである。
【図４】メインルーチンの動作を示すフローチャートである。
【図５】出力処理の動作を示すフローチャートである。
【図６】出力処理の動作を示すフローチャートである。
【図７】イヤホン出力制御Ａ処理の動作を示すフローチャートである。
【図８】イヤホン出力制御Ｂ処理の動作を示すフローチャートである。
【図９】モニタ出力制御Ａ処理の動作を示すフローチャートである。
【図１０】モニタ出力制御Ｂ処理の動作を示すフローチャートである。
【図１１】イヤホン動作可能処理の動作を示すフローチャートである。
【図１２】モニタ出力制御Ｃ処理の動作を示すフローチャートである。
【図１３】イヤホン動作不能処理の動作を示すフローチャートである。
【図１４】モニタ動作可能処理の動作を示すフローチャートである。
【図１５】イヤホン出力制御Ｃ処理の動作を示すフローチャートである。
【図１６】モニタ動作不能処理の動作を示すフローチャートである。
【図１７】タイムアウト処理の動作を示すフローチャートである。
【図１８】本発明の第２実施形態による携帯ラジオ１１が有する機能の概要を説明する為のシステム構成図である。
【図１９】携帯ラジオ１１の構成を示すブロック図である。
【図２０】第２実施形態のメインルーチンの動作を示すフローチャートである。
【図２１】第２実施形態の出力処理の動作を示すフローチャートである。
【図２２】第２実施形態のイヤホン動作可能処理の動作を示すフローチャートである。
【図２３】第２実施形態のイヤホン動作不能処理の動作を示すフローチャートである。
【図２４】第２実施形態の再生処理の動作を示すフローチャートである。
【発明を実施するための形態】
【００１２】
以下、図面を参照して本発明の実施の形態について説明する。
[第１実施形態]  
Ａ．構成  
（１）システム構成
図１は、本発明の第１実施形態である携帯電話１０が備える主要機能の概要を説明する為のシステム構成図である。携帯電話１０は、移動無線通信機能を備える。移動無線通信機能を用いて通話する場合、携帯電話１０は、位置登録している基地局ＢＳを介して発信側の交換機ＳＷに発呼する。発信側の交換機ＳＷは、発呼に応じて、無線通信網ＲＮ中に設けられる加入者登録サーバ（不図示）から問い合せた着番号（加入者番号）および位置登録情報に基づき着信側の交換機ＳＷを呼出す。着信側の交換機ＳＷは、着信側の基地局ＢＳを介して着信側の携帯電話１０（不図示）を呼出し、これに応じて着信側が着呼応答すると、発信側の交換機ＳＷと着信側の交換機ＳＷとのリンクが確立して通話可能になる。
【００１３】
また、携帯電話１０は、移動無線通信機能を用い、基地局ＢＳ、交換機ＳＷおよび無線通信網ＲＮを経由してインターネットＩＴＮ上のテレビ・ラジオ番組サーバ５０にアクセスし、当該サーバ５０がネット配信するテレビ放送又はラジオ放送を受信する機能も有する。さらに、携帯電話１０は、テレビ局（又はラジオ局）４０から送信基地局ＴＳを介して無線放送されるテレビ放送又はラジオ放送を受信する直接受信機能も備える。
【００１４】
携帯電話１０は、外部モニタ３０およびイヤホン２０に対して有線接続もしくは無線接続するインタフェースを備え、上述した移動無線通信機能又は直接受信機能を用いて受信したテレビ放送の映像／音声を含むビデオ出力を外部モニタ３０に送出したり、テレビ放送もしくはラジオ放送の音声出力をイヤホン２０に送出する機能を有する。なお、図１では、携帯電話１０が外部モニタ３０と有線接続され、イヤホン２０と無線接続される一例を図示している。
【００１５】
図１に図示する一例の場合、イヤホン２０は、ユーザに装着されているか否かを検出するセンサ（例えば温度センサなど）を備え、このセンサにより検出される状態（ユーザ装着／非装着状態）を表す信号を携帯電話１０側へ送出するように構成されている。また、外部モニタ３０は、動作電源がパワーオンされているか否かを検知する検知手段を備え、この検知手段により検知される状態（電源オン／非電源オン状態）を表す信号を携帯電話１０側へ送出するよう構成されている。
【００１６】
携帯電話１０は、イヤホン２０の接続／非接続状態と、イヤホン２０が出力する信号から判別した状態（ユーザ装着／非装着状態）とに基づき、「テレビ放送（又はラジオ放送）の音声をイヤホン２０で聴取中に、イヤホン２０が非接続状態もしくはユーザ非装着状態になった場合」を検出すると、自動的に受信中のテレビ放送（又はラジオ放送）を記録する自動記録状態になり、その後にイヤホン２０が接続され、かつユーザ装着状態に復帰すると、自動記録したテレビ放送（又はラジオ放送）のタイムシフト再生（追いかけ再生）を行う機能を有する。こうした機能の詳細については追って述べる。
【００１７】
携帯電話１０は、外部モニタ３０の接続／非接続状態と、外部モニタ３０が出力する信号から判別した状態（モニタ電源オン／非電源オン状態）とに基づき、「テレビ放送の映像・音声を外部モニタで視聴中に、外部モニタ３０が非接続状態もしくは非電源オン状態になった場合」を検出すると、自動的に受信中のテレビ放送を記録する自動記録状態になり、その後に外部モニタ３０が接続され、かつ電源オン状態に復帰すると、自動記録したテレビ放送のタイムシフト再生（追いかけ再生）を行う機能を有する。こうした機能の詳細については追って述べる。
【００１８】
（２）携帯電話１０の構成
次に、図２を参照して携帯電話１０の構成を説明する。図２において、ＣＰＵ１００は、後述する操作部１０７が発生するイベントや、後述のイヤホン接続部１０９およびモニタ接続部１１０が発生する状態データ（後述する）に応じて、携帯電話１０の各部動作を制御する。本発明の要旨に係わるＣＰＵ１００の特徴的な処理動作については追って詳述する。
【００１９】
ＲＯＭ１０１は、プログラムエリアおよびデータエリアを備える。ＲＯＭ１０１のプログラムエリアには、ＣＰＵ１００により実行される各種プログラムが記憶される。ここで言う各種プログラムとは、追って詳述するメインルーチン、出力処理、イヤホン動作可能処理、イヤホン動作不能処理、モニタ動作可能処理、モニタ動作不能処理およびタイムアウト処理の他、携帯電話１０が有する各種機能のプログラムを含む。ＲＯＭ１０１のデータエリアには、所定のプログラムにより参照される制御データの他、例えば待受画面などを形成する各種画面データが格納される。
【００２０】
ＲＡＭ１０２は、各種レジスタ・フラグデータを一時記憶するワークエリア（不図示）と、記録データ記憶部１０２ａとを備える。この記録データ記憶部１０２ａには、後述する記録再生部１１１が出力する圧縮符号化された記録データを、ＣＰＵ１００の制御の下に記憶する。なお、ここで言う記録データとは、テレビ放送・ラジオ放送受信部１０４が出力する受信信号（テレビ受信時は映像／テレビ音声データ、ラジオ受信時はラジオ音声データ）を指す。
【００２１】
無線通信送受信部１０３は、データ通信時にはＣＰＵ１００の制御の下にアンテナＡＮＴ１を介して基地局ＢＳとデータ授受を行い、音声通話時にはアンテナＡＮＴ１を介して受信復調した音声データをＣＰＵ１００に出力する一方、ＣＰＵ１００から供給される音声データを変調して得た送信信号を高周波増幅してアンテナＡＮＴ１から送出する。テレビ放送・ラジオ放送受信部１０４は、ＣＰＵ１００から与えられる選局指示に従い、アンテナＡＮＴ２を介してテレビ放送信号又はラジオ放送信号を受信復調し、これにより得られる受信信号（テレビ受信時は映像／テレビ音声データ、ラジオ受信時はラジオ音声データ）を出力する。
【００２２】
音声信号処理部１０５は、スピーカＳＰおよびマイクＭＩＣを備え、ＣＰＵ１００から供給される音声データを音声信号にＤ／Ａ変換してスピーカＳＰから発音させたり、マイクＭＩＣから出力される音声信号を音声データにＡ／Ｄ変換してＣＰＵ１００に供給する。また、音声信号処理部１０５では、イヤホン２０（図１参照）がイヤホン接続部１０９に接続されていない状態でテレビ放送・ラジオ放送受信部１０４が受信動作中の場合や、記録再生部１１１が再生動作中の場合、ＣＰＵ１００から供給されるテレビ音声データ又はラジオ音声データをＤ／Ａ変換した後に増幅してスピーカＳＰから放音する。
【００２３】
表示部１０６は、カラー液晶パネルおよび表示ドライバから構成され、ＣＰＵ１００の制御の下に、待受画面や機能メニュー画面など各種画面を表示する。また、表示部１０６では、外部モニタ３０（図１参照）がモニタ接続部１１０に接続されていない状態でテレビ放送・ラジオ放送受信部１０４がテレビ放送受信動作中の場合や、記録再生部１１１が再生動作中の場合、ＣＰＵ１００から供給される映像データを画面表示する。
【００２４】
操作部１０７には、パワーオンオフする電源スイッチ、テレビ放送・ラジオ放送受信部１０４をオンオフするテレビ／ラジオ出力スイッチ、通話開始／終了時に操作されるオフフック／オンフックスイッチ、ダイヤルスイッチと兼用の文字入力スイッチ等の各種操作キーの他、各種設定に用いる操作ボタン等を有し、これらキーやボタンの操作に応じたイベントを発生してＣＰＵ１００に出力する。ＲＴＣ１０８は、時刻計時やタイマ割込みに用いるリアルタイムクロックを発生する。
【００２５】
イヤホン接続部１０９は、所定の通信規格に従って無線データ通信する無線通信インタフェースを備える。イヤホン接続部１０９では、無線通信インタフェースを介してイヤホン２０（図１参照）との間で通信制御データを授受して通信リンクを確立させる。イヤホン接続部１０９では、イヤホン２０側との通信リンクが確立すると、接続中を表す接続状態データを発生してＣＰＵ１００に出力し、一方、通信リンクが不確立ならば、非接続を表す接続状態データを発生してＣＰＵ１００に出力する。イヤホン接続部１０９は、イヤホン２０と接続状態にあれば、ＣＰＵ１００から供給される音声データを、無線通信インタフェースを介してイヤホン２０に無線送出する。また、イヤホン接続部１０９は、イヤホン２０と接続状態にあれば、イヤホン２０側から送出される検出信号を受信して、イヤホンがユーザに装着されているか否かを表す装着状態データを発生してＣＰＵ１００に出力する。
【００２６】
モニタ接続部１１０は、外部モニタ３０（図１参照）と接続されているか否かを検出する手段を備え、外部モニタ３０と接続されていると、接続中を表す接続状態データを発生してＣＰＵ１００に出力し、一方、接続されていなければ、非接続を表す接続状態データを発生してＣＰＵ１００に出力する。モニタ接続部１１０は、外部モニタ３０に接続していれば、ＣＰＵ１００から供給される映像データを外部モニタ３０に出力する。また、モニタ接続部１１０は、外部モニタ３０に接続していると、外部モニタ３０から供給される検知信号に応じて、当該外部モニタ３０の電源オン／非電源オン状態を表す電源状態データを発生してＣＰＵ１００に出力する。
【００２７】
記録再生部１１１は、ＣＰＵ１００の制御の下に、テレビ放送・ラジオ放送受信部１０４が発生する受信信号（テレビ受信時は映像／テレビ音声データ、ラジオ受信時はラジオ音声データ）を記録又は再生する。すなわち、ＣＰＵ１００から記録指示があると、記録再生部１１１は、テレビ放送・ラジオ放送受信部１０４から出力される受信信号を圧縮符号化してＲＡＭ１０２の記録データ記憶部１０２ａに記録する。一方、ＣＰＵ１００から再生指示があると、再生指示された記録データをＲＡＭ１０２の記録データ記憶部１０２ａから読み出して伸張復号化した再生データをＣＰＵ１００に出力する。また、記録再生部１１１は、ＣＰＵ１００の制御の下に、記録動作しながら再生動作するタイムシフト再生（追いかけ再生）する機能も具備する。
【００２８】
Ｂ．動作  
次に、上記構成による携帯電話１０の動作について説明する。以下では、携帯電話１０のＣＰＵ１００が実行する「メインルーチン」の動作を説明した後、このメインルーチンからコールされる「出力処理」、「イヤホン動作可能処理」、「イヤホン動作不能処理」、「モニタ動作可能処理」、「モニタ動作不能処理」および「タイムアウト処理」の各動作について順次説明する。
【００２９】
（１）メインルーチンの動作
図３〜図４は、ＣＰＵ１００が実行するメインルーチンの動作を示すフローチャートである。ユーザの電源オン操作により携帯電話１０がパワーオンされると、ＣＰＵ１００は図３に図示するメインルーチンを実行してステップＳＡ１に処理を進める。ステップＳＡ１では、位置登録制御シーケンスを実行して網側に位置登録を行った後、待受状態に入る待受処理を実行する。
【００３０】
続いて、図３に示すステップＳＡ２〜ＳＡ５および図８に示すステップＳＡ６〜ＳＡ１０では、「テレビ／ラジオ出力操作」、「イヤホン動作不能→動作可能検出」、「イヤホン動作可能→動作不能検出」、「モニタ動作不能→動作可能検出」、「モニタ動作可能→動作不能検出」、「外れタイマ所定時間経過」、「着信検知」、「電源オフ操作」および「その他操作」のイベントの有無を判断する。これらイベントが発生しなければ、上記ステップＳＡ２〜ＳＡ１０の各判断結果はいずれも「ＮＯ」になり、待受状態のまま待機する。一方、待受状態で上記イベントのいずれかが発生すると、その発生したイベントに対応した処理を実行する。以下、イベント毎の動作を説明する。
【００３１】
ａ．テレビ／ラジオ出力操作が行われた場合
操作部１０７に設けられるテレビ／ラジオ出力スイッチ（不図示）の操作イベントを検出すると、ステップＳＡ２の判断結果が「ＹＥＳ」になり、ステップＳＡ１１に進み、出力処理を実行する。出力処理では、後述するように、イヤホン接続部１０９が発生する接続状態データおよび装着状態データに基づき、イヤホン接続／非接続およびユーザのイヤホン装着／非装着を判別し、イヤホン接続部１０９に接続中のイヤホン２０がユーザから外れて非装着になると、放送を受信して聴取中の音声データの外部出力を停止させ、本体（音声信号処理部１０５）から出力させると共に、その聴取中の音声データを記録再生部１１１に自動的に記録させる自動記録状態となる。
【００３２】
また、出力処理では、モニタ接続部１１０が発生する接続状態データおよび電源状態データに基づき、モニタ接続／非接続およびモニタ電源オン／非電源オンを判別し、モニタ接続部１１０に接続中の外部モニタ３０がパワーオンされずに非電源オンであると、放送を受信して視聴中の映像データの外部出力を停止させ、本体（表示部１０６）で表示出力させると共に、その視聴中の映像データ／テレビ音声データを記録再生部１１１に自動的に記録させる自動記録状態となる。そして、こうした出力処理が完了すると、ＣＰＵ１００は上記ステップＳＡ２に処理を戻して待受状態に復帰する。
【００３３】
ｂ．イヤホン動作不能→動作可能検出された場合  
イヤホン接続部１０９が、イヤホン２０に接続したことを表す接続状態データと、ユーザのイヤホン装着を表す装着状態データとを発生すると、ＣＰＵ１００はイヤホン動作不能→動作可能イベントを検出する。すると、ステップＳＡ３の判断結果が「ＹＥＳ」になり、ステップＳＡ１２に進み、イヤホン動作可能処理を実行する。
【００３４】
イヤホン動作可能処理では、後述するように、イヤホン動作が可能になった時に自動記録状態でなく、かつ放送受信中ならば、イヤホン２０側にのみ音声データを送出すると共に、外部モニタ３０が動作状態ならば、外部モニタ３０側にのみ映像データを出力し、外部モニタ３０が非動作状態ならば、映像データの外部出力を停止させ、本体（表示部１０６）で表示出力させる。
【００３５】
一方、イヤホン動作が可能になった時に自動記録状態であると、イヤホン非装着となった時点で自動記録し始めた放送内容の追いかけ再生を行い、再生される音声データについてはイヤホン２０側にのみ送出し、再生される映像データについては外部モニタ３０が動作状態ならば外部モニタ３０側にのみ出力し、外部モニタ３０が非動作状態ならば本体（表示部１０６）で表示出力させる。こうしたイヤホン動作可能処理が完了すると、ＣＰＵ１００は上記ステップＳＡ２に処理を戻して待受状態に復帰する。
【００３６】
ｃ．イヤホン動作可能→動作不能検出された場合  
イヤホン接続部１０９が、イヤホン２０との非接続を表す接続状態データを発生した場合、あるいはイヤホン接続中にユーザのイヤホン非装着を表す装着状態データを発生した場合、ＣＰＵ１００はイヤホン動作可能→動作不能イベントを検出する。すると、ステップＳＡ４の判断結果が「ＹＥＳ」になり、ステップＳＡ１３に進み、イヤホン動作不能処理を実行する。
【００３７】
イヤホン動作不能処理では、後述するように、イヤホン動作が不能になった時に放送受信中であって、かつイヤホン接続期間が所定時間に達していると、その受信中の放送内容を記録再生部１１１に自動的に記録させる自動記録状態になると同時に、テレビ放送・ラジオ放送受信部１０４から出力されるテレビ音声データ（又はラジオ音声データ）については本体出力（音声信号処理部１０５から出力）し、映像データについては外部出力（モニタ接続部１１０）・本体出力（表示部１０６）共に停止させる。そして、こうしたイヤホン動作不能処理が完了すると、ＣＰＵ１００は上記ステップＳＡ２に処理を戻して待受状態に復帰する。
【００３８】
ｄ．モニタ動作不能→動作可能検出された場合  
モニタ接続部１１０が、外部モニタ３０に接続されたことを表す接続状態データと、その接続された外部モニタ３０が電源オン中であることを表す電源状態データとを発生すると、ＣＰＵ１００はモニタ動作不能→動作可能検出イベントを検出する。すると、ステップＳＡ５の判断結果が「ＹＥＳ」になり、ステップＳＡ１４に進み、モニタ動作可能処理を実行する。
【００３９】
モニタ動作可能処理では、後述するように、モニタ動作が可能になった時に自動記録状態でなく、かつ放送受信中であると、外部モニタ３０側にのみ映像データを出力すると共に、イヤホン２０が接続中ならば、イヤホン２０側にのみ音声データを送出し、一方、イヤホン２０が非接続状態ならば、本体（音声信号処理部１０５）から出力させる。
【００４０】
一方、モニタ動作が可能になった時に自動記録状態であると、モニタ非動作となった時点で自動記録し始めた放送内容の追いかけ再生を行い、再生される映像データについては外部モニタ３０側にのみ出力し、再生される音声データについてはイヤホン２０が動作可能ならば、イヤホン２０側にのみ出力し、イヤホン２０が動作不能であると、本体（音声信号処理部１０５）から出力させる。こうしたモニタ動作可能処理が完了すると、ＣＰＵ１００は上記ステップＳＡ２に処理を戻して待受状態に復帰する。
【００４１】
ｅ．モニタ動作可能→動作不能検出された場合  
モニタ接続部１１０が、外部モニタ３０と非接続であることを表す接続状態データを発生した場合、あるいは外部モニタ接続中に非電源オンを表す電源状態データを発生した場合に、ＣＰＵ１００はモニタ動作不能→動作可能検出イベントを検出する。すると、図４に図示するステップＳＡ６の判断結果が「ＹＥＳ」になり、ステップＳＡ１５に進み、モニタ動作不能処理を実行する。
【００４２】
モニタ動作不能処理では、後述するように、モニタ動作が不能になった時に放送受信中であって、なおかつモニタ動作期間長が所定時間に達していると、その受信中の放送内容を記録再生部１１１に自動的に記録させる自動記録状態に設定すると共に、テレビ放送・ラジオ放送受信部１０４から出力されるテレビ音声データ（又はラジオ音声データ）の外部出力および本体出力を停止させ、映像データについては本体（表示部１０６）から表示出力させる。こうしたモニタ動作不能処理が完了すると、ＣＰＵ１００は図３に示すステップＳＡ２に処理を戻して待受状態に復帰する。
【００４３】
ｆ．外れタイマ所定時間経過した場合  
イヤホン外れタイマ（後述する）により計時されるイヤホン動作不能期間あるいはモニタ外れタイマ（後述する）により計時されるモニタ動作不能期間のいずれか一方が所定時間を経過すると、ＣＰＵ１００はタイムアウトイベントを検出する。すると、図４に図示するステップＳＡ７の判断結果が「ＹＥＳ」になり、ステップＳＡ１６に進み、タイムアウト処理を実行する。
【００４４】
タイムアウト処理では、後述するように、イヤホン外れタイマによるタイムアウト（又はモニタ外れタイマによるタイムアウト）が生じた時に、自動記録状態であると、記録再生部１１１の記録を停止させて自動記録した放送内容の削除した後、イヤホン記録フラグ（又はモニタ記録フラグ）をゼロリセットして自動記録状態を解除すると共に、イヤホン外れタイマ（又はモニタ外れタイマ）を終了させる。そして、タイムアウト処理が完了すると、ＣＰＵ１００は図３に示すステップＳＡ２に処理を戻して待受状態に復帰する。
【００４５】
ｇ．着信検知した場合  
着信を検知すると、ステップＳＡ８の判断結果が「ＹＥＳ」になり、ステップＳＡ１７に進み、着信処理を実行する。着信処理では、着信報知を行い、この着信報知中にオフフック操作されると、発呼側と回線接続して通話を開始させ、オンフック操作に応じて回線を断つ通話処理を実行する。そして、着信処理が完了すると、ＣＰＵ１００は図３に示すステップＳＡ２に処理を戻して待受状態に復帰する。
【００４６】
ｈ．電源オフ操作が行われた場合  
電源オフ操作が行われると、ステップＳＡ９の判断結果が「ＹＥＳ」になり、ステップＳＡ１８に進み、電源オフ処理を実行した後、本処理を完了させる。
【００４７】
ｉ．その他の操作が行われた場合  
上述した以外の、その他の操作がなされた場合には、ステップＳＡ１０の判断結果が「ＹＥＳ」となり、ステップＳＡ１９に進み、その他の処理を実行する。その他の処理とは、例えばメール作成やメール送信などの処理を指す。そして、その他の処理の実行後は、上記ステップＳＡ２に処理を戻して待受状態に復帰する。
【００４８】
（２）出力処理の動作  
次に、図５〜図１０を参照して出力処理の動作を説明する。なお、図５〜図６は出力処理の動作を示すフローチャート、図７〜図１０は出力処理からコールされるイヤホン出力制御Ａ処理、イヤホン出力制御Ｂ処理、モニタ出力制御Ａ処理およびモニタ出力制御Ｂ処理の各動作を示すフローチャートである。
【００４９】
上述したメインルーチンのステップＳＡ１１（図３参照）を介して本処理が実行されると、ＣＰＵ１００は図５に図示するステップＳＢ１に処理を進める。ステップＳＢ１では、テレビ／ラジオ出力スイッチの操作に応じて、テレビ放送受信（又はラジオ放送受信）の開始をテレビ放送・ラジオ放送受信部１０４に指示する。
【００５０】
続いて、ステップＳＢ２〜ＳＢ１０では、イヤホン接続／非接続およびユーザのイヤホン装着／非装着に応じた処理を実行し、ステップＳＢ１１〜ＳＢ１９では、モニタ接続／非接続およびモニタの電源オン／非電源オンに応じた処理を実行する。以下では、「イヤホン接続の場合」、「イヤホン非接続の場合」、「モニタ接続の場合」および「モニタ非接続の場合」に分けて動作の説明を進める。
【００５１】
＜イヤホン接続の場合＞  
ステップＳＢ２では、イヤホン接続部１０９が発生する接続状態データに基づきイヤホン接続中であるか否かを判断する。そして、イヤホン接続中であると、このステップＳＢ２の判断結果が「ＹＥＳ」になり、ステップＳＢ３に進む。ステップＳＢ３では、イヤホン接続部１０９が発生する装着状態データに基づきユーザのイヤホン装着／非装着を判断する。以下、イヤホン装着の場合とイヤホン非装着の場合とに分けて動作を説明する。
【００５２】
ａ．イヤホン装着の場合  
ユーザがイヤホン２０を装着していると、上記ステップＳＢ３の判断結果は「ＹＥＳ」になり、ステップＳＢ４を介してイヤホン出力制御Ａ処理を実行する。イヤホン出力制御Ａ処理が実行されると、ＣＰＵ１００は図７に図示するステップＳＣ１に処理を進め、音声データを外部出力する。すなわち、テレビ放送受信時ならば、テレビ放送・ラジオ放送受信部１０４が受信出力するテレビ音声データをイヤホン接続部１０９に供給する。ラジオ放送受信時ならば、テレビ放送・ラジオ放送受信部１０４が受信出力するラジオ音声データをイヤホン接続部１０９に供給する。これにより、イヤホン接続部１０９は、ＣＰＵ１００から供給されるテレビ音声データ（又はラジオ音声データ）をイヤホン２０に無線送出する。次いで、ステップＳＣ２では、テレビ放送・ラジオ放送受信部１０４が受信出力するテレビ音声データ（又はラジオ音声データ）を音声信号処理部１０５に出力させず、音声データの本体出力を停止させて本処理を終える。
【００５３】
こうして、イヤホン２０側にのみテレビ音声データ（又はラジオ音声データ）を送出させるイヤホン出力制御Ａ処理が完了すると、ＣＰＵ１００は図５に図示するステップＳＢ５に処理を進め、イヤホン接続タイマを起動した後、後述するステップＳＢ１１（図６参照）に処理を進める。なお、イヤホン接続タイマが起動されると、ＣＰＵ１００は所定周期毎に実行される割り込み処理（不図示）にてイヤホン接続期間（イヤホン接続状態が継続する期間）を計時し始める。
【００５４】
ｂ．イヤホン非装着の場合  
ユーザがイヤホン２０を装着していなければ、上記ステップＳＢ３の判断結果は「ＮＯ」になり、ステップＳＢ６を介してイヤホン出力制御Ｂ処理を実行する。イヤホン出力制御Ｂ処理が実行されると、ＣＰＵ１００は図８に図示するステップＳＤ１に処理を進め、テレビ放送・ラジオ放送受信部１０４が受信出力するテレビ音声データ（又はラジオ音声データ）をイヤホン接続部１０９に供給せず、音声データの外部出力を停止する。
【００５５】
次いで、ステップＳＤ２では、テレビ放送・ラジオ放送受信部１０４が受信出力するテレビ音声データ（又はラジオ音声データ）を音声信号処理部１０５に供給して本体出力させる。これにより、音声信号処理部１０５は、ＣＰＵ１００から供給されるテレビ音声データ（又はラジオ音声データ）をＤ／Ａ変換した後に増幅してスピーカＳＰから放音する。
【００５６】
こうしたイヤホン出力制御Ｂ処理が完了すると、ＣＰＵ１００は図５に図示するステップＳＢ７に処理を進める。ステップＳＢ７では、テレビ放送・ラジオ放送受信部１０４から出力される受信信号（テレビ受信時は映像データ／テレビ音声データ、ラジオ受信時はラジオ音声データ）を記録するよう記録再生部１１１に指示する。
【００５７】
次いで、ステップＳＢ８では、上記ステップＳＢ７の記録指示に従って記録再生部１１１が圧縮符号化した受信信号を、ＲＡＭ１０２の記録データ記憶部１０２ａに記録させる。そして、ステップＳＢ９では、イヤホン記録フラグを「１」にセットした後、図６に図示するステップＳＢ１１に処理を進める。なお、イヤホン記録フラグに「１」をセットすることによって、イヤホン外れ（イヤホン非装着）が生じて受信中の放送内容を自動的に記録する自動記録状態にあることを表す。
【００５８】
＜イヤホン非接続の場合＞  
一方、イヤホン非接続の場合には、上述したステップＳＢ２の判断結果が「ＮＯ」になり、ステップＳＢ１０を介して図８に図示するイヤホン出力制御Ｂ処理を実行する。イヤホン出力制御Ｂ処理では、上述したように、音声データの外部出力を停止させ、本体（音声信号処理部１０５）から出力させる。この後、図６に図示するステップＳＢ１１に処理を進める。
【００５９】
＜モニタ接続の場合＞  
図６に図示するステップＳＢ１１では、モニタ接続部１１０が発生する接続状態データに基づきモニタ接続中であるか否かを判断する。そして、モニタ接続中ならば、このステップＳＢ１１の判断結果が「ＹＥＳ」になり、ステップＳＢ１２に進む。ステップＳＢ１２では、モニタ接続部１１０が発生する電源状態データに基づき、外部モニタ３０の動作スイッチがオンされているか否か、つまり外部モニタ３０の電源オン／非電源オンを判断する。以下、モニタ動作中の場合と、モニタ非動作の場合とに分けて動作を説明する。
【００６０】
ａ．モニタ電源オン中の場合  
モニタ電源オン中ならば、上記ステップＳＢ１２の判断結果は「ＹＥＳ」になり、ステップＳＢ１３を介してモニタ出力制御Ａ処理を実行する。モニタ出力制御Ａ処理が実行されると、ＣＰＵ１００は図９に図示するステップＳＥ１に処理を進め、映像データを外部出力する。すなわち、テレビ放送受信時ならば、テレビ放送・ラジオ放送受信部１０４が受信出力する映像データをモニタ接続部１１０に供給する。これにより、モニタ接続部１１０は、ＣＰＵ１００から供給される映像データを外部モニタ３０に出力する。次いで、ステップＳＥ２では、テレビ放送・ラジオ放送受信部１０４が受信出力する映像データを表示部１０６に供給させず、映像データの本体出力を停止する。
【００６１】
こうしたモニタ出力制御Ａ処理が完了すると、ＣＰＵ１００は図６に図示するステップＳＢ１４に処理を進め、モニタ接続タイマを起動した後、本処理を終える。なお、モニタ接続タイマが起動されると、ＣＰＵ１００は所定周期毎に実行される割り込み処理（不図示）にてモニタ接続期間（モニタ接続状態が継続される期間）を計時し始める。
【００６２】
ｂ．モニタ非電源オン中の場合  
モニタ非電源オン中ならば、上記ステップＳＢ１２の判断結果は「ＮＯ」になり、ステップＳＢ１５を介してモニタ出力制御Ｂ処理を実行する。モニタ出力制御Ｂ処理が実行されると、ＣＰＵ１００は図１０に示すステップＳＦ１に処理を進め、テレビ放送・ラジオ放送受信部１０４から出力される映像データをモニタ接続部１１０に供給せずに映像データの外部出力を停止する。次いで、ステップＳＦ２では、テレビ放送・ラジオ放送受信部１０４から出力される映像データを表示部１０６に供給して本体出力させる。これにより、表示部１０６は、ＣＰＵ１００から供給される映像データを画面表示する。
【００６３】
こうしたモニタ出力制御Ｂ処理が完了すると、ＣＰＵ１００は図６に図示するステップＳＢ１６に処理を進める。ステップＳＢ１６では、テレビ放送・ラジオ放送受信部１０４が受信出力する映像データ／テレビ音声データを記録するよう記録再生部１１１に指示する。次いで、ステップＳＢ１７では、上記ステップＳＢ１６の記録指示に従って記録再生部１１１が圧縮符号化した映像データ／テレビ音声データを、ＲＡＭ１０２の記録データ記憶部１０２ａに記録させる。そして、ステップＳＢ１８では、モニタ記録フラグを「１」にセットして本処理を終える。なお、モニタ記録フラグに「１」をセットすることによって、モニタ非電源オン時に受信中の放送内容を自動的に記録する自動記録状態にあることを表す。
【００６４】
なお、イヤホン非装着により既に自動記録状態下である場合には、モニタ非電源オン中による自動記録処理（上述のステップＳＢ１６〜ＳＢ１７）は無効となり、省略されるようになっている。
【００６５】
＜モニタ非接続の場合＞  
一方、モニタ非接続の場合には、上述したステップＳＢ１１の判断結果が「ＮＯ」になり、ステップＳＢ１９を介して図１０に図示するモニタ出力制御Ｂ処理を実行する。モニタ出力制御Ｂ処理では、上述したように、映像データの外部出力を停止させ、本体（表示部１０６）から表示出力させた後、出力処理を終える。
【００６６】
このように、出力処理では、イヤホン接続部１０９が発生する接続状態データおよび装着状態データに基づき、イヤホン接続／非接続およびユーザのイヤホン装着／非装着を判別し、イヤホン接続部１０９に接続中のイヤホン２０がユーザから外れて非装着になると、放送受信中の音声データの外部出力を停止させ、本体（音声信号処理部１０５）から出力させると共に、その音声データを自動的に記録する。
【００６７】
また、出力処理では、モニタ接続部１１０が発生する接続状態データおよび電源状態データに基づき、モニタ接続／非接続およびモニタ電源オン／非電源オンを判別し、モニタ接続部１１０に接続中の外部モニタ３０がパワーオンされておらず非電源オンであると、放送受信中の映像データの外部出力を停止させ、本体（表示部１０６）で表示出力させると共に、放送受信中の映像データ／テレビ音声データを自動的に記録する。
【００６８】
（３）イヤホン動作可能処理の動作  
次に、図１１〜図１２を参照してイヤホン動作可能処理の動作を説明する。なお、図１１はイヤホン動作可能処理の動作を示すフローチャート、図１２はイヤホン動作可能処理からコールされるモニタ出力制御Ｃ処理の動作を示すフローチャートである。
【００６９】
前述したメインルーチンのステップＳＡ１２（図３参照）を介してイヤホン動作可能処理が実行されると、ＣＰＵ１００は図１１に図示するステップＳＧ１に処理を進める。ステップＳＧ１では、イヤホン記録フラグが「０」であるか否か、すなわちイヤホン外れ（イヤホン非装着）が生じて受信中の放送内容を自動的に記録する自動記録状態であるかどうかを判断する。以下、自動記録状態でない場合（イヤホン記録フラグが「０」の場合）と、自動記録状態の場合（イヤホン記録フラグが「１」の場合）とに分けて動作を説明する。
【００７０】
ａ．自動記録状態でない場合  
イヤホン２０がイヤホン接続部１０９に接続され、かつユーザに装着されてイヤホン動作が可能になった時に、自動記録状態でなければ、上記ステップＳＧ１の判断結果は「ＹＥＳ」になり、ステップＳＧ２に進む。ステップＳＧ２では、テレビ放送・ラジオ放送受信部１０４が放送受信中であるか否かを判断する。放送受信中でなければ、判断結果は「ＮＯ」になり、本処理を終えるが、放送受信中であると、上記ステップＳＧ２の判断結果が「ＹＥＳ」になり、ステップＳＧ３を介して前述したイヤホン出力制御Ａ処理（図７参照）を実行し、イヤホン２０側にのみ音声データ（テレビ音声データ又はラジオ音声データ）を送出する。
【００７１】
次いで、ステップＳＧ４では、モニタ出力制御Ｃ処理を実行する。モニタ出力制御Ｃ処理が実行されると、ＣＰＵ１００は図１２に図示するステップＳＨ１に処理を進め、モニタ接続部１１０が発生する接続状態データと電源状態データに基づき、外部モニタ３０が動作可能であるか否か、つまりモニタ接続部１１０に接続されているかどうか、パワーオンされた電源オン状態にあるかどうかを判断する。外部モニタ３０が動作状態（モニタ接続部１１０に接続されていて、かつパワーオンされた電源オン状態）であれば、判断結果は「ＹＥＳ」になり、ステップＳＨ２に進み、前述したモニタ出力制御Ａ処理（図９参照）を実行し、外部モニタ３０にのみ映像データを出力する。
【００７２】
一方、外部モニタ３０が非動作状態（モニタ接続部１１０に接続されていていない、あるいは、パワーオンされていない非電源オン状態）ならば、上記ステップＳＨ１の判断結果が「ＮＯ」になり、ステップＳＨ３に進み、前述したモニタ出力制御Ｂ処理（図１０参照）を実行し、映像データの外部出力を停止させ、本体（表示部１０６）で表示出力させる。この後、図１１に示すステップＳＧ５に進み、イヤホン接続タイマを起動してイヤホン動作可能処理を終える。なお、イヤホン接続タイマの起動によりイヤホン接続期間を計時し始める。
【００７３】
このように、イヤホン動作が可能になった時に自動記録状態でなく、かつ放送受信中であると、イヤホン２０側にのみ音声データを送出すると共に、外部モニタ３０が動作状態ならば、外部モニタ３０側にのみ映像データを出力し、外部モニタ３０が非動作状態ならば、映像データの外部出力を停止させ、本体（表示部１０６）で表示出力させる。
【００７４】
ｂ．自動記録状態の場合  
イヤホン２０がイヤホン接続部１０９に接続され、かつユーザに装着されてイヤホン動作が可能になった時に、自動記録状態であると、上記ステップＳＧ１（図１１参照）の判断結果は「ＮＯ」になり、ステップＳＧ６に進む。ステップＳＧ６では、ＲＡＭ１０２の記録データ記憶部１０２ａに自動記録されている記録データを再生するよう記録再生部１１１に指示する。
【００７５】
次いで、ステップＳＧ７では、上記ステップＳＧ６において再生が指示された放送内容（記録データ）を高速再生（追いかけ再生）するよう記録再生部１１１に指示する。そして、ステップＳＧ８を介して前述したイヤホン出力制御Ａ処理（図７参照）を実行し、記録再生部１１１が高速再生（追いかけ再生）する音声データ（テレビ音声データ又はラジオ音声データ）をイヤホン２０側にのみ送出させる。これにより、イヤホン非装着となった時点で自動記録し始めた放送内容が追いかけ再生される。
【００７６】
続いて、ステップＳＧ９では、外部モニタ３０が動作状態ならば、記録再生部１１１が高速再生（追いかけ再生）する映像データを外部モニタ３０だけに出力し、外部モニタ３０が非動作状態ならば、映像データの外部出力を停止させ、本体（表示部１０６）で表示出力させるモニタ出力制御Ｃ処理（図１２参照）を実行する。
【００７７】
次いで、ステップＳＧ１０では、イヤホン記録フラグをゼロリセットして自動記録状態を解除する。そして、ステップＳＧ１１では、イヤホン外れタイマを終了させる。高速再生が終了後にステップＳＧ２に処理を進める。なお、イヤホン外れタイマは、イヤホン動作が不能になった時に起動されるタイマであり、イヤホン動作不能期間を計時する。
【００７８】
このように、イヤホン動作が可能になった時に自動記録状態であると、イヤホン非動作状態となった時点で自動記録し始めた放送内容の追いかけ再生を行い、再生される音声データについてはイヤホン２０側にのみ送出し、再生される映像データについては外部モニタ３０が動作状態ならば外部モニタ３０側にのみ出力し、外部モニタ３０が非動作状態ならば本体（表示部１０６）で表示出力させるようになっている。
【００７９】
なお、上述したステップＳＧ４およびステップＳＧ９において、外部モニタ３０が動作中の時には映像データを外部モニタ３０だけに出力し、外部モニタ３０が非動作の時には映像データの外部出力を停止して本体（表示部１０６）で表示出力させるモニタ出力制御Ｃ処理（図１２参照）を実行するようにしたが、これに限らず、ステップＳＧ４およびステップＳＧ９を省略し、映像データの出力先を変更させない態様としても構わない。
【００８０】
（４）イヤホン動作不能処理の動作  
次に、図１３を参照してイヤホン動作不能処理の動作を説明する。図１３は、イヤホン動作不能処理の動作を示すフローチャートである。前述したメインルーチンのステップＳＡ１３（図３参照）を介してイヤホン動作不能処理が実行されると、ＣＰＵ１００は図１３に図示するステップＳＪ１に処理を進め、テレビ放送・ラジオ放送受信部１０４が放送受信中であるか否かを判断する。放送受信中でなければ、判断結果は「ＮＯ」になり、ステップＳＪ１１に進み、イヤホン接続タイマを終了させて本処理を終える。なお、イヤホン接続タイマを終了させることによって、イヤホン接続期間の計時が完了する。
【００８１】
一方、放送受信中ならば、上記ステップＳＪ１の判断結果は「ＹＥＳ」になり、ステップＳＪ２に進む。ステップＳＪ２では、イヤホン接続タイマにより計時されるイヤホン接続期間が所定時間に達したか否かを判断する。イヤホン接続期間が所定時間に達していれば、判断結果は「ＹＥＳ」になり、ステップＳＪ３に進み、イヤホン外れタイマを起動させる。続いて、ステップＳＪ４では、テレビ放送・ラジオ放送受信部１０４から出力される受信信号（テレビ受信時は映像データ／テレビ音声データ、ラジオ受信時はラジオ音声データ）を記録するよう記録再生部１１１に指示する。
【００８２】
そして、ステップＳＪ５では、上記ステップＳＪ４の記録指示に従って記録再生部１１１が圧縮符号化した受信信号を、ＲＡＭ１０２の記録データ記憶部１０２ａに記録する。次いで、ステップＳＪ６では、イヤホン記録フラグを「１」にセットして自動記録状態になったことを表す。
【００８３】
この後、ステップＳＪ７〜ＳＪ８では、テレビ放送・ラジオ放送受信部１０４から受信出力されるテレビ音声データ（又はラジオ音声データ）をイヤホン接続部１０９に供給せずに音声データの外部出力を停止させる一方、テレビ音声データ（又はラジオ音声データ）を音声信号処理部１０５に供給して本体出力させる。続いて、ステップＳＪ９〜ＳＪ１０では、テレビ放送・ラジオ放送受信部１０４から受信出力される映像データを、モニタ接続部１１０にも表示部１０６にも供給せず、これにより映像データの外部出力・本体出力を停止させる。そして、ステップＳＪ１１に進み、イヤホン接続タイマを終了させた後、本処理を終える。
【００８４】
さて一方、例えばユーザの誤操作により短時間だけイヤホン２０とイヤホン接続部１０９とを接続させてしまった場合など、イヤホン接続期間が所定時間に達しなければ、上述したステップＳＪ２の判断結果は「ＮＯ」になり、上記ステップＳＪ７以降の処理を実行し、音声データの外部出力を停止させて本体出力すると共に、映像データの外部出力・本体出力を停止させる。この後、イヤホン接続タイマを終了させて本処理を終える。
【００８５】
以上のように、イヤホン動作不能処理では、イヤホン動作が不能になった時に放送受信中であって、なおかつイヤホン接続期間が所定時間に達していると、その受信中の放送内容を自動的に記録する自動記録状態に設定されると共に、テレビ放送・ラジオ放送受信部１０４から出力されるテレビ音声データ（又はラジオ音声データ）については音声信号処理部１０５に供給して本体出力させ、映像データについては外部出力・本体出力を停止させるようになっている。
【００８６】
なお、上述したイヤホン動作不能処理では、ステップＳＪ８において、音声データを音声信号処理部１０５に供給して本体出力させるようにしたが、これに限らず、ステップＳＪ８の処理を省略し、音声データの本体出力を行わない態様としても構わない。
【００８７】
また、ステップＳＪ９〜ＳＪ１０において、映像データの外部出力・本体出力を停止させたが、これに限らず、ステップＳＪ９〜ＳＪ１０の処理を省略し、映像データの出力先を変更させない態様としても構わない。
【００８８】
（５）モニタ動作可能処理の動作  
次に、図１４〜図１５を参照してモニタ動作可能処理の動作を説明する。なお、図１４はモニタ動作可能処理の動作を示すフローチャート、図１５はモニタ動作可能処理からコールされるイヤホン出力制御Ｃ処理の動作を示すフローチャートである。
【００８９】
前述したメインルーチンのステップＳＡ１４（図３参照）を介してモニタ動作可能処理が実行されると、ＣＰＵ１００は図１４に図示するステップＳＫ１に処理を進め、モニタ記録フラグが「０」であるか否か、すなわちモニタ非動作が生じて受信中の放送内容を自動的に記録する自動記録状態であるかどうかを判断する。以下、自動記録状態でない場合（モニタ記録フラグが「０」の場合）と、自動記録状態の場合（モニタ記録フラグが「１」の場合）とに分けて動作を説明する。
【００９０】
ａ．自動記録状態でない場合  
モニタ接続部１１０に接続された外部モニタ３０が動作状態になった時に自動記録状態でなければ、上記ステップＳＫ１の判断結果は「ＹＥＳ」になり、ステップＳＫ２に進む。ステップＳＫ２では、テレビ放送・ラジオ放送受信部１０４が放送受信中であるか否かを判断する。放送受信中でなければ、判断結果は「ＮＯ」になり、本処理を終えるが、放送受信中であると、上記ステップＳＫ２の判断結果が「ＹＥＳ」になり、ステップＳＫ３を介して前述したモニタ出力制御Ａ処理（図９参照）を実行し、外部モニタ３０側にのみ映像データを出力させる。
【００９１】
次いで、ステップＳＫ４では、イヤホン出力制御Ｃ処理を実行する。イヤホン出力制御Ｃ処理が実行されると、ＣＰＵ１００は図１５に図示するステップＳＬ１に処理を進め、イヤホン接続部１０９が発生する接続状態データと装着状態データに基づき、イヤホン２０が動作可能であるか否かを判断する。イヤホン２０が動作可能（イヤホン接続部１０９に接続中、かつユーザに装着状態）ならば、判断結果は「ＹＥＳ」になり、ステップＳＬ２に進み、前述したイヤホン出力制御Ａ処理（図７参照）を実行し、イヤホン２０側にのみ音声データを送出させる。
【００９２】
一方、イヤホン２０が動作不能（イヤホン接続部１０９に非接続、あるいは、ユーザに非装着状態）であると、上記ステップＳＬ１の判断結果は「ＮＯ」になり、ステップＳＬ３に進み、前述したイヤホン出力制御Ｂ処理（図８参照）を実行し、音声データの外部出力を停止させ、本体（音声信号処理部１０５）から出力させる。この後、図１４に示すステップＳＫ５に進み、モニタ接続タイマを起動してモニタ動作可能処理を終える。なお、モニタ接続タイマが起動されると、ＣＰＵ１００はモニタ動作期間を計時し始める。
【００９３】
このように、モニタ動作が可能になった時に自動記録状態でなく、かつ放送受信中であると、外部モニタ３０側にのみ映像データを出力すると共に、イヤホン２０が接続中ならば、イヤホン２０側にのみ音声データを送出し、一方、イヤホン２０が非接続状態ならば、本体（音声信号処理部１０５）から出力させる。
【００９４】
ｂ．自動記録状態の場合  
モニタ動作が可能になった時に自動記録状態であると、上記ステップＳＫ１（図１４参照）の判断結果は「ＮＯ」になり、ステップＳＫ６に進む。ステップＳＫ６では、ＲＡＭ１０２の記録データ記憶部１０２ａに自動記録されている記録データを再生するよう記録再生部１１１に指示する。
【００９５】
次いで、ステップＳＫ７では、上記ステップＳＫ６において再生が指示された放送内容（記録データ）を高速再生（追いかけ再生）するよう記録再生部１１１に指示する。そして、ステップＳＫ８を介して前述したモニタ出力制御Ａ処理（図９参照）を実行し、記録再生部１１１が高速再生（追いかけ再生）する映像データを外部モニタ３０側にのみ出力させる。これにより、モニタ非動作となった時点で自動記録し始めた放送内容の追いかけ再生が行われる。
【００９６】
続いて、ステップＳＫ９では、イヤホン２０が動作可能ならば、記録再生部１１１が高速再生する音声データをイヤホン２０側にのみ送出し、イヤホン２０が動作不能であると、音声データの外部出力を停止させ、本体（音声信号処理部１０５）から出力させるイヤホン出力制御Ｃ処理（図１５参照）を実行する。次いで、ステップＳＫ１０では、モニタ記録フラグをゼロリセットして自動記録状態を解除する。そして、ステップＳＫ１１では、モニタ外れタイマを終了させる。高速再生が終了後にステップＳＫ２に処理を進める。なお、モニタ外れタイマの終了によりモニタ動作不能期間の計時が完了する。
【００９７】
以上のように、モニタ動作が可能になった時に自動記録状態であると、モニタ非動作となった時点で自動記録し始めた放送内容の追いかけ再生を行い、再生される映像データについては外部モニタ３０側にのみ出力し、再生される音声データについてはイヤホン２０が動作可能ならば、イヤホン２０側にのみ出力し、イヤホン２０が動作不能であると、本体（音声信号処理部１０５）から出力させる。
【００９８】
なお、上述したステップＳＫ４およびステップＳＫ９において、外部モニタ３０が動作中の時には映像データを外部モニタ３０だけに出力し、外部モニタ３０が非動作の時には映像データの外部出力を停止して本体（表示部１０６）で表示出力させるモニタ出力制御Ｃ処理（図１２参照）を実行するようにしたが、これに限らず、ステップＳＧ４およびステップＳＧ９を省略し、映像データの出力先を変更させない態様としても構わない。
【００９９】
（６）モニタ動作不能処理の動作  
次に、図１６を参照してモニタ動作不能処理の動作を説明する。図１６は、モニタ動作不能処理の動作を示すフローチャートである。前述したメインルーチンのステップＳＡ１５（図４参照）を介してモニタ動作不能処理が実行されると、ＣＰＵ１００は図１５に図示するステップＳＭ１に処理を進め、テレビ放送・ラジオ放送受信部１０４が放送受信中であるか否かを判断する。放送受信中でなければ、判断結果は「ＮＯ」になり、ステップＳＭ１１に進み、モニタ接続タイマを終了させて本処理を終える。なお、モニタ接続タイマの終了によりモニタ動作期間の計時が完了する。
【０１００】
一方、放送受信中ならば、上記ステップＳＭ１の判断結果は「ＹＥＳ」になり、ステップＳＭ２に進む。ステップＳＭ２では、モニタ接続タイマにより計時されるモニタ動作期間が所定時間に達したか否かを判断する。モニタ動作期間が所定時間に達していれば、判断結果は「ＹＥＳ」になり、ステップＳＭ３に進み、モニタ外れタイマを起動させる。続いて、ステップＳＭ４では、テレビ放送・ラジオ放送受信部１０４から出力される受信信号（テレビ受信時は映像データ／テレビ音声データ、ラジオ受信時はラジオ音声データ）を記録するよう記録再生部１１１に指示する。
【０１０１】
そして、ステップＳＭ５では、上記ステップＳＭ４の記録指示に従って記録再生部１１１が圧縮符号化した受信信号を、ＲＡＭ１０２の記録データ記憶部１０２ａに記録する。次いで、ステップＳＭ６では、モニタ記録フラグを「１」にセットして自動記録状態になったことを表す。
【０１０２】
この後、ステップＳＭ７〜ＳＭ８では、テレビ放送・ラジオ放送受信部１０４から受信出力されるテレビ音声データ（又はラジオ音声データ）の外部出力および本体出力を停止させる。続いて、ステップＳＭ９〜ＳＭ１０では、テレビ放送・ラジオ放送受信部１０４から受信出力される映像データをモニタ接続部１１０に出力させず、映像データの外部出力を停止させる一方、映像データを表示部１０６に供給して本体で表示出力させる。そして、ステップＳＭ１１に進み、モニタ接続タイマを終了させて本処理を終える。
【０１０３】
さて一方、例えばユーザの誤操作により短時間だけ外部モニタ３０をパワーオンして動作状態にしたとする。そうした場合には、モニタ動作期間が所定時間に達しないので、上述したステップＳＭ２の判断結果が「ＮＯ」になり、上記ステップＳＭ７以降の処理を実行し、音声データの外部出力および本体出力を停止すると共に、映像データを本体で表示出力させた後、モニタ接続タイマを終了させて本処理を終える。
【０１０４】
以上のように、モニタ動作不能処理では、モニタ動作が不能になった時に放送受信中であって、なおかつモニタ動作期間が所定時間に達していると、その受信中の放送内容を自動的に記録する自動記録状態に設定すると共に、テレビ放送・ラジオ放送受信部１０４から受信出力されるテレビ音声データ（又はラジオ音声データ）の外部出力および本体出力を停止させ、映像データについては本体（表示部１０６）から表示出力させる。
【０１０５】
なお、上述したモニタ動作不能処理では、ステップＳＭ８において、音声データを音声信号処理部１０５に供給して本体出力させるようにしたが、これに限らず、ステップＳＭ８の処理を省略し、音声データの本体出力を行わない態様としても構わない。
【０１０６】
また、ステップＳＭ９〜ＳＭ１０において、映像データの外部出力・本体出力を停止させたが、これに限らず、ステップＳＭ９〜ＳＭ１０の処理を省略し、映像データの出力先を変更させない態様としても構わない。
【０１０７】
（７）タイムアウト処理の動作  
次に、図１７を参照してタイムアウト処理の動作を説明する。図１７は、ＣＰＵ１００が実行するタイムアウト処理の動作を示すフローチャートである。前述したメインルーチンのステップＳＡ１６（図４参照）を介してタイムアウト処理が実行されると、ＣＰＵ１００は図１７に図示するステップＳＮ１に処理を進め、イヤホン外れタイマによるタイムアウトであるか否かを判断する。以下、イヤホン外れタイマによるタイムアウトの場合と、モニタ外れタイマによるタイムアウトの場合とに分けて動作を説明する。
【０１０８】
ａ．イヤホン外れタイマによるタイムアウトの場合
イヤホン外れタイマによって計時されるイヤホン動作不能期間が所定時間を超えてタイムアウトになると、上記ステップＳＮ１の判断結果が「ＹＥＳ」になり、ステップＳＮ２に進む。ステップＳＮ２では、イヤホン記録フラグが「１」、すなわち自動記録状態であるかどうかを判断する。自動記録状態でなければ、判断結果は「ＮＯ」となり、ステップＳＮ８に進み、イヤホン外れタイマを終了させて本処理を終える。
【０１０９】
これに対し、自動記録状態であれば、上記ステップＳＮ２の判断結果は「ＹＥＳ」になり、ステップＳＮ３に進む。そして、ステップＳＮ３〜ＳＮ４では、記録再生部１１１に記録の停止を指示すると共に、ＲＡＭ１０２の記録データ記憶部１０２ａへの書き込みを禁止して放送内容の記録を停止させる。次いで、ステップＳＮ５〜ＳＮ６では、記録再生部１１１に自動記録した放送内容の削除を指示すると共に、ＲＡＭ１０２の記録データ記憶部１０２ａから削除対象とされた放送内容を削除する。
【０１１０】
これにより、イヤホン動作不能期間に自動記録された放送内容が、タイムアウトにより無効と見なされて削除される。つまり、ユーザが意図的にイヤホン非接続あるいは非装着とした場合に自動記録される放送内容は、イヤホン外れタイマによるタイムアウトとなった時点で自動的に消去される。この後、ステップＳＮ７に進み、イヤホン記録フラグをゼロリセットして自動記録状態を解除する。そして、ステップＳＮ８に進み、イヤホン外れタイマのタイマカウントを終了させて本処理を終える。
【０１１１】
ｂ．モニタ外れタイマによるタイムアウトの場合
モニタ外れタイマによって計時されるモニタ動作不能期間が所定時間を超えてタイムアウトになると、上記ステップＳＮ１の判断結果が「ＮＯ」になり、ステップＳＮ９に進む。ステップＳＮ９では、モニタ記録フラグが「１」、すなわち自動記録状態であるかどうかを判断する。自動記録状態下でなければ、判断結果は「ＮＯ」となり、ステップＳＮ１５に進み、モニタ外れタイマを終了させて本処理を終える。
【０１１２】
これに対し、自動記録状態ならば、上記ステップＳＮ９の判断結果は「ＹＥＳ」になり、ステップＳＮ１０に進む。そして、ステップＳＮ１０〜ＳＮ１１では、記録再生部１１１に記録の停止を指示すると共に、ＲＡＭ１０２の記録データ記憶部１０２ａへの書き込みを禁止して放送内容の記録を停止させる。次いで、ステップＳＮ１２〜ＳＮ１３では、記録再生部１１１に自動記録した放送内容の削除を指示すると共に、ＲＡＭ１０２の記録データ記憶部１０２ａから削除対象とされた放送内容を削除する。
【０１１３】
これにより、モニタ動作不能期間に自動記録された放送内容が、タイムアウトにより無効と見なされて削除される。つまり、ユーザが意図的にモニタ非接続あるいは非電源オンとした場合に自動記録される放送内容は、モニタ外れタイマによるタイムアウトとなった時点で自動的に消去される。この後、ステップＳＮ１４に進み、モニタ記録フラグをゼロリセットして自動記録状態を解除する。そして、ステップＳＮ１５に進み、イヤホン外れタイマを終了させて本処理を終える。
【０１１４】
このように、タイムアウト処理では、イヤホン外れタイマによるタイムアウト（又はモニタ外れタイマによるタイムアウト）が生じた時に、自動記録状態であると、記録再生部１１１の記録を停止させて自動記録した放送内容の削除した後、イヤホン記録フラグ（又はモニタ記録フラグ）をゼロリセットして自動記録状態を解除すると共に、イヤホン外れタイマ（又はモニタ外れタイマ）を終了させる。
【０１１５】
以上説明したように、第１実施形態では、イヤホン２０の接続／非接続状態と、イヤホン２０が出力する信号から判別したユーザ装着／非装着状態とに基づき、放送受信中にイヤホン２０が非接続状態もしくはユーザ非装着状態になったことを検出すると、受信中の放送（音声データ）を自動的に記録し始める自動記録状態となり、その後にイヤホン２０が接続され、かつユーザ装着状態に復帰すると、自動記録中の放送をタイムシフト再生（追いかけ再生）を行うので、聴取中の放送内容の聞き逃しを防止することが可能になる。
【０１１６】
また、第１実施形態では、外部モニタ３０の接続／非接続状態と、外部モニタ３０が出力する信号から判別したモニタ電源オン／非電源オン状態状態とに基づき、放送受信中に外部モニタ３０が非接続状態もしくは非電源オン状態になったことを検出すると、受信中の放送（映像データ／音声データ）を記録する自動記録状態になり、その後に外部モニタ３０が接続され、かつ電源オン状態に復帰すると、自動記録した放送（映像データ／音声データ）のタイムシフト再生（追いかけ再生）を行うので、視聴中の放送内容の見逃しを防止することが可能になる。
【０１１７】
さらに、上述した第１実施形態で得られる、より具体的な効果は、下記（ａ）〜（ｉ）項に記載の通りである。
（ａ）例えば、誤操作によって携帯電話１０にイヤホン２０を接続してしまい、ユーザが気付いてその後すぐに接続を外したような場合、すなわち記録が不要と考えられる場合には、不要な記録を行わず、この結果、記録処理の負担を軽減し、しかも記録容量を節約することができる。
（ｂ）例えば、イヤホン２０と携帯電話１０の表示部１０６とでテレビ放送を視聴中にイヤホン２０の接続が外れたような場合、不要な出力（表示部１０６での映像出力）を行わないようにするので、出力処理の負担を軽減することができる。
（ｃ）例えば、イヤホン２０と外部モニタ３０とを携帯電話１０に接続してテレビ放送を視聴中にイヤホン２０の接続が外れた場合、不要な送出（外部モニタ３０への映像送出）を行わないようにするので、送出処理の負担を軽減することができる。
（ｄ）特別な操作を行うことなく、記録された放送内容を確認することができる。
（ｅ）見逃したあるいは聞き逃した部分の放送内容を素早く確認することができ、その後、通常の視聴あるいは聴取に戻ることができる。
（ｆ）例えば、ユーザが視聴するのを止めるためにイヤホン２０の接続を外したような場合には、すぐにイヤホンの再接続は行われない。このような記録が不要と考えられる場合に、不要な記録を停止する為、記録処理の負担を軽減し、記録容量を節約することができる。
（ｇ）外部出力装置（イヤホン２０又は外部モニタ３０）と電子機器（携帯電話１０）との接続が外れたことによって、ユーザが見逃したあるいは聞き逃した放送内容を、後で確認することができる。
（ｈ）イヤホンの装着が外れたことによってユーザが聞き逃した放送内容を後で確認することができる。
（ｉ）モニタの電源がオフになったことによってユーザが見逃した放送内容を後で確認することができる。
【０１１８】
[第２実施形態]  
Ａ．構成  
（１）システム構成
図１８は、本発明の第２実施形態である携帯ラジオ１１の主要機能を説明する為のシステム構成図である。携帯ラジオ１１は、ラジオ局４１から送信基地局ＴＳを介して無線送信されるラジオ放送を受信する放送受信機能を備える。携帯ラジオ１１は、イヤホン２０と有線接続するインタフェースを備え、上記放送受信機能によって受信したラジオ放送の音声出力をイヤホン２０に出力する機能を有する。携帯ラジオ１１は、放送受信中にイヤホン２０が非接続の状態になると、自動的に受信中の放送内容を記録し始め、イヤホン２０が接続された時点でその記録を停止し、ユーザの再生指示操作に応じて記録した放送内容を再生する機能を有する。
【０１１９】
（２）携帯ラジオ１１の構成
次に、図１９を参照して携帯ラジオ１１の構成を説明する。図１９において、ＣＰＵ２００は、後述する操作部２０５が発生するイベントや、後述のイヤホン接続部２０６が発生する状態データ（後述する）に応じて、携帯ラジオ１１の各部動作を制御する。本発明の要旨に係わるＣＰＵ２００の特徴的な処理動作については追って詳述する。
【０１２０】
ＲＯＭ２０１は、プログラムエリアおよびデータエリアを備える。ＲＯＭ２０１のプログラムエリアには、ＣＰＵ２００により実行される各種プログラムが記憶される。ここで言う各種プログラムとは、追って詳述するメインルーチン、出力処理、イヤホン動作可能処理、イヤホン動作不能処理および再生処理を含む。ＲＯＭ２０１のデータエリアには、例えば選局用の受信チャンネルデータなどが格納される。
【０１２１】
ＲＡＭ２０２は、各種レジスタ・フラグデータを一時記憶するワークエリア（不図示）と、記録データ記憶部２０２ａとを備える。この記録データ記憶部２０２ａには、後述する記録再生部２０７が出力する圧縮符号化された記録データを、ＣＰＵ２００の制御の下に記憶する。なお、ここで言う記録データとは、ラジオ放送受信部２０３が出力する音声データを指す。
【０１２２】
ラジオ放送受信部２０３は、ＣＰＵ２００から与えられる選局指示に従い、アンテナＡＮＴ１を介してラジオ放送信号を受信復調して得られる音声データを出力する。表示部２０４は、カラー液晶パネルおよび表示ドライバから構成され、ＣＰＵ２００の制御の下に、例えば受信中の放送局名や記録した放送内容などを画面表示する。操作部２０５には、パワーオンオフする電源スイッチ、記録された放送内容の再生を指示する再生スイッチあるいは受信チャンネルを指定する選局ボタン等を有し、これらスイッチやボタンの操作に応じたイベントを発生してＣＰＵ２００に出力する。
【０１２３】
イヤホン接続部２０６は、イヤホン２０（図１８参照）と接続されているか否かを検出する手段を備え、イヤホン２０に接続されている場合には接続中を表す接続状態データを発生してＣＰＵ２００に出力し、一方、接続されていなければ、非接続を表す接続状態データを発生してＣＰＵ２００に出力する。イヤホン接続部２０６は、イヤホン２０に接続していれば、ＣＰＵ２００から供給される音声データをイヤホン２０に出力する。
【０１２４】
記録再生部２０７は、ＣＰＵ２００の制御の下に、ラジオ放送受信部２０３から出力される音声データを記録又は再生する。すなわち、ＣＰＵ２００から記録指示があると、記録再生部２０７は、ラジオ放送受信部２０３から出力される音声データを圧縮符号化してＲＡＭ１０２の記録データ記憶部１０２ａに記録する。一方、ＣＰＵ２００から再生指示があると、再生指示された記録データをＲＡＭ１０２の記録データ記憶部１０２ａから読み出して伸張復号化した再生データをＣＰＵ２００に出力する。
【０１２５】
Ｂ．動作  
次に、図２０〜図２４を参照して上記構成による携帯ラジオ１１の動作について説明する。ユーザが操作部２０５の電源スイッチをオン操作して携帯ラジオ１１をパワーオンすると、ＣＰＵ２００は図２０に図示するメインルーチンを実行してステップＳＰ１に処理を進め、出力処理を実行する。出力処理が実行されると、ＣＰＵ２００は、図２１に図示するステップＳＱ１に進み、ユーザの選局操作で指定される受信チャンネルの放送を受信するようラジオ放送受信部２０３に指示する。これによりラジオ放送受信部２０３は指定チャンネルで受信した音声データ（放送内容）を出力する。
【０１２６】
続いて、ステップＳＱ２では、イヤホン接続部２０６が発生する接続状態データに基づき、イヤホン接続部２０６にイヤホン２０が接続されているか否かを判断する。イヤホン接続部２０６にイヤホン２０が接続されていると、判断結果は「ＹＥＳ」になり、ステップＳＱ３に進み、ラジオ放送受信部２０３が出力する音声データをイヤホン接続部２０６に供給する。これにより、イヤホン接続部２０６は音声データをイヤホン２０に外部出力する。
【０１２７】
一方、イヤホン接続部２０６にイヤホン２０が接続されていなければ、上記ステップＳＱ２の判断結果は「ＮＯ」になり、ステップＳＱ４に進む。ステップＳＱ４では、ラジオ放送受信部２０３から出力される音声データ（放送内容）を記録するよう記録再生部２０７に指示し、続くステップＳＱ５では、この記録指示に従って記録再生部２０７が圧縮符号化した音声データを、ＲＡＭ２０２の記録データ記憶部２０２ａに記録する。そして、ステップＳＱ６に進み、ラジオ放送受信部２０３が出力する音声データをイヤホン接続部２０６に供給せず、音声データの外部出力を停止して本処理を終える。
【０１２８】
さて、こうした出力処理が完了すると、ＣＰＵ２００は図２０に示すメインルーチンのステップＳＰ２以降を実行する。ステップＳＰ２〜ＳＰ６では、「イヤホン非接続→接続検出」、「イヤホン接続→非接続検出」、「再生操作」、「電源オフ操作」および「その他操作」のイベントの有無を判断する。これらイベントが発生しなければ、上記ステップＳＰ２〜ＳＰ６の各判断結果はいずれも「ＮＯ」になり、ステップＳＰ２に処理を戻す。一方、上記イベントのいずれかが発生すると、その発生したイベントに対応した処理を実行する。以下、イベント毎の動作を説明する。
【０１２９】
ａ．イヤホン非接続→接続検出された場合  
イヤホン接続部２０６が、イヤホン２０に接続したことを表す接続状態データを発生すると、ＣＰＵ２００はイヤホン非接続→接続検出イベントを検出する。すると、ステップＳＰ２の判断結果が「ＹＥＳ」になり、ステップＳＰ７に進み、イヤホン動作可能処理を実行する。
【０１３０】
イヤホン動作可能処理が実行されると、ＣＰＵ２００は図２２に図示するステップＳＲ１に進み、記録再生部２０７に記録の停止を指示する。そして、ステップＳＲ２では、ＲＡＭ２０２の記録データ記憶部２０２ａへの書き込みを禁止して音声データ（放送内容）の記録を停止させる。この後、ステップＳＲ３に進み、ラジオ放送受信部２０３が出力する音声データをイヤホン接続部２０６に供給し、当該イヤホン接続部２０６に接続されたイヤホン２０へ音声データを外部出力して本処理を終える。こうしたイヤホン動作可能処理が完了すると、ＣＰＵ２００はメインルーチンのステップＳＰ２（図２０参照）に処理を戻す。
【０１３１】
ｂ．イヤホン接続→非接続検出された場合  
イヤホン接続部２０６が、イヤホン２０との非接続を表す接続状態データを発生すると、ＣＰＵ２００はイヤホン接続→非接続検出イベントを検出する。すると、図２０に図示するステップＳＰ３の判断結果が「ＹＥＳ」になり、ステップＳＰ８に進み、イヤホン動作不能処理を実行する。
【０１３２】
イヤホン動作不能処理が実行されると、ＣＰＵ２００は図２３に図示するステップＳＳ１に進む。ステップＳＳ１では、ラジオ放送受信部２０３から出力される音声データを記録するよう記録再生部２０７に指示する。次いで、ステップＳＳ２では、上記ステップＳＳ１の記録指示に従い、記録再生部２０７が圧縮符号化した音声データをＲＡＭ２０２の記録データ記憶部２０２ａに記録する。そして、ステップＳＳ３に進み、ラジオ放送受信部２０３が出力する音声データをイヤホン接続部２０６に供給せず、音声データの外部出力を停止して本処理を終える。こうしたイヤホン動作不能処理が完了すると、ＣＰＵ２００はメインルーチンのステップＳＰ２（図２０参照）に処理を戻す。
【０１３３】
ｃ．再生操作された場合  
操作部２０５に配設される再生スイッチが操作されると、ＣＰＵ２００は再生スイッチイベントを検出する。すると、図２０に図示するステップＳＰ４の判断結果が「ＹＥＳ」になり、ステップＳＰ９に進み、再生処理を実行する。再生処理が実行されると、ＣＰＵ２００は図２４に図示するステップＳＴ１に進み、ＲＡＭ２０２の記録データ記憶部２０２ａに記録されている放送内容の項目を表示部２０４にリスト表示する。なお、ここで言う放送内容の項目とは、例えば記録開始日時および受信チャンネルを含む記録ヘッダ情報を指す。
【０１３４】
次いで、ステップＳＴ２では、表示部２０４にリスト表示された放送内容の項目の内から再生する放送内容の項目をユーザ操作に応じて選択する。そして、ステップＳＴ３では、上記ステップＳＴ２において選択された項目の放送内容を再生するよう記録再生部２０７に指示する。これにより、記録再生部２０７は、再生指示された放送内容の記録データをＲＡＭ２０２の記録データ記憶部２０２ａから読み出して伸張復号化してなる再生データ（音声データ）をＣＰＵ１００に出力する。そして、ステップＳＴ４では、記録再生部２０７から出力される再生データ（音声データ）をイヤホン接続部２０６に供給し、当該イヤホン接続部２０６に接続されたイヤホン２０へ音声データを外部出力して本処理を終える。こうした再生処理が完了すると、ＣＰＵ２００はメインルーチンのステップＳＰ２（図２０参照）に処理を戻す。
【０１３５】
ｄ．電源オフ操作が行われた場合  
電源オフ操作が行われると、図２０に図示するステップＳＰ５の判断結果が「ＹＥＳ」になり、ステップＳＰ１０に進み、電源オフ処理を実行した後、本処理を完了させる。
【０１３６】
ｅ．その他の操作が行われた場合  
上述した以外の、その他の操作がなされた場合には、図２０に図示するステップＳＰ６の判断結果が「ＹＥＳ」となり、ステップＳＰ１１に進み、その他の処理を実行する。その他の処理とは、例えば音量レベル調整や受信チャンネル切替などの処理を指す。そして、その他の処理の実行後は、上記ステップＳＰ２に処理を戻す。
【０１３７】
このように、第２実施形態では、放送受信中にイヤホン２０がイヤホン接続部２０６からイヤホン２０が外れてイヤホン非接続の状態になると、受信中の放送内容を自動的に記録し始め、イヤホン接続部２０６にイヤホン２０が接続された時点でその記録を停止し、ユーザの再生指示操作に応じて記録した放送内容を再生する。つまり、聴取中に聞き逃した放送内容を後で確認可能にする為、放送内容の聞き逃しを防止することができる。
【０１３８】
さらに、第２実施形態では、イヤホン２０が非接続となってイヤホン動作不能になると、音声データの外部出力を停止するので、不要な送出を行わないことで送出処理の負担を軽減することもできる。また、イヤホン動作不能からイヤホン２０が接続されてイヤホン動作可能に復帰すると、イヤホン動作不能時に開始した記録を停止するので、不要な記録を行わず記録処理の負担を軽減し、しかも記録容量を節約することもできる。
【０１３９】
なお、上述した第１実施形態および第２実施形態は、携帯電話と携帯ラジオを一例としたが、これに限らず、例えばワンセグ放送を受信可能な携帯テレビの他、放送波を直接受信する機能もしくは無線通信網およびインターネットを介して放送サーバにアクセスして放送データを取得する機能を具備する電子機器全般に本発明が適用可能であることは言うまでもない。
【０１４０】
また、上述した第１および第２実施形態では、自機に備えられた記録手段（記録データ記憶手段）に放送内容を記録する態様としたが、これに限らず、例えばビデオレコーダやボイスレコーダなどの外部記録装置に対して記録指示を送信して記録させる態様であっても構わない。
【符号の説明】
【０１４１】
１０  携帯電話
２０  イヤホン
３０  外部モニタ
１００  ＣＰＵ
１０１  ＲＯＭ
１０２  ＲＡＭ
１０２ａ  記録データ記憶部
１０３  無線通信送受信部
１０４  テレビ放送・ラジオ放送受信部
１０５  音声信号処理部
１０６  表示部
１０７  操作部
１０８  ＲＴＣ
１０９  イヤホン接続部
１１０  モニタ接続部
１１１  記録再生部
【図１】
2013034218.tif 000003
【図２】
2013034218.tif 000004
【図３】
2013034218.tif 000005
【図４】
2013034218.tif 000006
【図５】
2013034218.tif 000007
【図６】
2013034218.tif 000008
【図７】
2013034218.tif 000009
【図８】
2013034218.tif 000010
【図９】
2013034218.tif 000011
【図１０】
2013034218.tif 000012
【図１１】
2013034218.tif 000013
【図１２】
2013034218.tif 000014
【図１３】
2013034218.tif 000015
【図１４】
2013034218.tif 000016
【図１５】
2013034218.tif 000017
【図１６】
2013034218.tif 000018
【図１７】
2013034218.tif 000019
【図１８】
2013034218.tif 000020
【図１９】
2013034218.tif 000021
【図２０】
2013034218.tif 000022
【図２１】
2013034218.tif 000023
【図２２】
2013034218.tif 000024
【図２３】
2013034218.tif 000025
【図２４】
2013034218.tif 000026